(57)【要約】【課題】搬送波に乗せて送られてくる信号のレベルを適切に検出する信号レベル検出装置を提供する。【解決手段】受信装置に設けられている受信部６が、放送局等の情報発信源より送られてきた信号Ｓｉｎを受信し、選局（あるいは同調）を行うと共に、周波数変換によって中間周波の信号Ｓｘを生成し、更に検波器（あるいは復調器）等の信号分離部７が信号Ｓｘを検波（あるいは復調）することによっていわゆる検波信号（あるいは復調信号）としての再生信号Ｓｄｅｔを出力すると、信号レベル検出装置を構成しているノイズ抽出部８と検出信号生成部９とによって、再生信号Ｓｄｅｔに含まれているノイズ成分Ｎｚを抽出し、更にノイズ成分Ｎｚを平滑化することで、受信した信号Ｓｉｎのレベルを表す検出信号Ｓｏｕｔを生成する。【選択図】　図２
2004080425.tif 000002
【特許請求の範囲】
【請求項１】
搬送波に乗せて送られてくる信号を受信する受信装置によって処理された信号に基づいて、前記搬送波に乗せて送られてくる信号のレベルを検出する信号レベル検出装置であって、
前記受信装置に設けられた信号分離手段によって生成される再生信号に含まれる雑音成分を抽出し、当該抽出した雑音成分のレベルを前記信号のレベルとして検出する検出手段、を備えることを特徴とする信号レベル検出装置。
【請求項２】
前記検出手段は、
前記再生信号に含まれる雑音成分を抽出する抽出手段と、
前記抽出手段で抽出される雑音成分を平滑化することにより、前記信号のレベルを表す検出信号を生成する検出信号生成手段と、を備えることを特徴とする請求項１に記載の信号レベル検出装置。
【請求項３】
前記信号分離手段は、検波器又は復調器であり、検波又は復調により生じる検波信号又は復調信号を前記再生信号として出力することを特徴とする請求項１に記載の信号レベル検出装置。
【請求項４】
前記抽出手段は、
前記再生信号に含まれる雑音成分を通過させる第１のフィルタと、
前記第１のフィルタの出力を整流する整流手段と、
前記整流回路の出力を平滑化する第２のフィルタと、
前記整流回路の出力と前記第２のフィルタの出力との差分を求める減算手段と、
前記減算手段より出力される差信号にしたがって、前記整流手段の出力を保持する保持手段とを備え、
前記保持手段の出力を前記検波信号又は復調信号に含まれる雑音成分とすることを特徴とする請求項２に記載の信号レベル検出装置。
【請求項５】
前記検出手段は、
前記抽出手段で抽出される雑音成分を平滑化するフィルタであることを特徴とする請求項２に記載の信号レベル検出装置。
【請求項６】
前記整流手段の出力から前記差分信号が生成されるまでに要する時間に相当する遅延時間を有し、前記整流手段の出力を前記遅延時間に従って遅延させて前記保持手段に供給する遅延手段を備えることを特徴とする請求項２乃至５のいずれか１項に記載の信号レベル検出装置。
【請求項７】
搬送波に乗せて送られてくる信号のレベルを検出する信号レベル検出方法であって、
前記信号を信号分離することで再生信号を生成する第１の工程と、
前記再生信号に含まれる雑音成分を抽出して整流することで第１の雑音成分を生成する第２の工程と、
前記第１の雑音成分を平滑化することで第２の雑音成分を生成する第３の工程と、
前記第１の雑音成分と第２の雑音成分との差分を求め、前記第１の雑音成分が第２の雑音成分より大きな値となるときの差分に同期した制御信号を生成する第４の工程と、
前記第１の雑音成分が生成される時点から前記制御信号が生成されるまでの時間に合わせて遅延させた前記第１の雑音成分を前記制御信号に同期して保持する第５の工程とを具備し、
前記第５の工程で保持された第１の雑音成分のレベルを前記搬送波に乗せて送られてくる信号のレベルとすることを特徴とする信号レベル検出方法。
【発明の詳細な説明】
【０００１】
【発明の属する技術分野】
本発明は、例えば搬送波に乗せて送られてくる信号のレベルを検出する信号レベル検出装置に関するものである。
【０００２】
【従来の技術】
従来、例えば放送局等から送られてくる放送を受信して、元の信号に再現するラジオ受信機等の受信装置にあっては、その再現すべき元の信号（以下「再生信号」という）を適切に生成等する必要上、受信した信号のレベルを検出することが行われている。
【０００３】
そして、検出結果に基づいて、受信感度の調整や、再生信号のレベル調整あるいは周波数特性の調整、また、ステレオ音声信号等の多重化された再生信号の場合にはチャンネル間分離（セパレーション）等、その他各種制御を行っている。
【０００４】
上述の信号レベルを検出するため、図１に例示するような信号レベル検出装置が用いられていた。なお、図１は、ラジオ受信機に設けられた信号レベル検出装置の従来例を示したものである。
【０００５】
図１において、従来の信号レベル検出装置は、整流回路４とローパスフィルタ５で構成されており、ＩＦ増幅器（中間周波増幅器）２より出力される中間周波の信号ＳＩＦを整流及び平滑化することによって、受信した信号のレベルを表す検出信号Ｓｏｕｔを生成する。
【０００６】
すなわち、ラジオ受信機は、アンテナで到来電波を受信すると、得られる受信信号に対して選局（「同調」ともいう）及び周波数変換の処理を行い、中間周波信号（ＩＦ信号）を生成する。更にいわゆる中間周波増幅部に備えられているＩＦフィルタ１とＩＦ増幅器２で、ＩＦ信号の周波数帯域を制限して信号処理に適したレベルに増幅することにより、中間周波の信号ＳＩＦを生成する。そして、検波器（「復調器」ともいう）３が信号ＳＩＦを検波（復調）することで、再生信号としての検波信号（復調信号）を出力するようになっている。
【０００７】
したがって、信号レベル検出装置は、ＩＦ増幅器２より出力され検波（あるいは復調）が行われる前の信号ＳＩＦを対象として、上述の整流及び平滑化を行うことで、受信した信号のレベル（別言すれば、到来電波の強度）を表す検出信号Ｓｏｕｔを生成していた。
【０００８】
【発明が解決しようとする課題】
ところで、上述のラジオ受信機に設けられた信号レベル検出装置は、到来電波の強度に応じてレベルが変化する中間周波の信号ＳＩＦを整流及び平滑化することで、受信した信号のレベルを検出することとしている。
【０００９】
ところが、上述の中間周波増幅部より前段側に設けられているフロントエンド等には利得特性にバラツキがあることから、その利得特性のバラツキの影響を受けた信号ＳＩＦを整流及び平滑化すると、検出信号Ｓｏｕｔにオフセット等が生じることとなって、受信した信号のレベルを適切に検出することが困難になるという課題があった。
【００１０】
本発明はこうした従来の課題に鑑みてなされたものであり、例えば放送局等の情報発信源から送信されてくる信号のレベルを適切に検出する、新規な構成を有する信号レベル検出装置を提供することを目的とする。
【００１１】
【課題を解決するための手段】
請求項１に記載の信号レベル検出装置は、搬送波に乗せて送られてくる信号を受信する受信装置によって処理された信号に基づいて、前記搬送波に乗せて送られてくる信号のレベルを検出する信号レベル検出装置であって、前記受信装置に設けられた信号分離手段によって生成される再生信号に含まれる雑音成分を抽出し、当該抽出した雑音成分のレベルを前記信号のレベルとして検出する検出手段、を備えることを特徴とする。
【００１２】
【発明の実施の形態】
本発明の好適な実施の形態を図２（ａ）（ｂ）を参照して説明する。
【００１３】
なお、図２（ａ）は、本実施形態の信号レベル検出装置の構成を概説するためのブロック図、図２（ｂ）は、より具体的な例示として、ラジオ受信機に設けられる信号レベル検出装置の構成を説明するためのブロック図である。
【００１４】
図２（ａ）において、本信号レベル検出装置は、搬送波に乗せて送られてくる信号を受信して、元の信号に再現する受信装置に広く適用されるものであり、主としてノイズ抽出部８と検出信号生成部９とを備えて構成されている。
【００１５】
すなわち、受信装置に設けられている受信部６が、放送局等その他の情報発信源より送られてきた信号Ｓｉｎを受信して所定の信号処理を行い、更に信号分離部７が、受信部６より出力される信号Ｓｘに対して所定の信号分離処理を施すことで、情報発信源より送られた元の信号Ｓｄｅｔを再現する。
【００１６】
そして、信号分離部７より出力される信号Ｓｄｅｔ、別言すれば再生信号Ｓｄｅｔをノイズ抽出部８が入力して、再生信号Ｓｄｅｔに含まれている雑音成分（以下「ノイズ成分」と言う）Ｎｚを抽出し、更に検出信号生成部９が、そのノイズ成分Ｎｚのレベルを表す検出信号Ｓｏｕｔを生成して出力する。
【００１７】
ここで、受信部６は、無線や有線等の伝送路を介して、搬送波に乗せて送られてきた信号Ｓｉｎに対して、上述の同調等や周波数変換の処理を施すことで、信号処理を行うのに好適な周波数域の信号Ｓｘを生成する。つまり、搬送周波数帯域に割り当てて送られてくる変調波としての信号Ｓｉｎをそのまま受信装置内で信号処理するには、周波数が高すぎる等の困難な場合を招来することから、上述の同調等及び周波数変換の処理を施すことで、信号処理を行うのに適した周波数域の信号Ｓｘを生成する。
【００１８】
信号分離部７は、信号Ｓｘに対して検波や復調等の信号分離処理を施すことで、上記放送局等の情報発信源が送った元の信号を再生信号Ｓｄｅｔとして取り出す。
【００１９】
つまり、受信部６は、無線や有線等の各伝送路毎に規格で定められている搬送方式（送信方式）等に準拠して上述の同調等及び周波数変換の処理を施すことで、信号処理を行うのに適した周波数域の信号Ｓｘを生成し、信号分離部７は、情報発信源側で元の信号に対して行われた変調方式に準拠した検波（あるいは復調）等の信号分離処理を行うことで、信号Ｓｘから再生信号Ｓｄｅｔを取り出すようになっている。
【００２０】
このように、再生信号Ｓｄｅｔをノイズ抽出部８が入力して、その再生信号Ｓｄｅｔに含まれているノイズ成分Ｎｚを抽出し、更に検出信号生成部９がノイズ成分Ｎｚのレベルを表す検出信号Ｓｏｕｔを生成すると、受信した信号Ｓｉｎのレベルを検出信号Ｓｏｕｔによって検出することができる。
【００２１】
更に、本実施形態の信号レベル検出装置は、従来技術で行われていたような、検波（あるいは復調）前の信号に含まれている信号成分のレベルを検出することによって、受信した信号のレベルを検出するのとは異なり、検波（あるいは復調）等の信号分離処理を施した後の再生信号Ｓｄｅｔ中に含まれているノイズ成分Ｎｚのレベルを検出することによって、受信した信号Ｓｉｎのレベルを検出する構成となっている。
【００２２】
このため、受信部６に利得特性のバラツキがあっても、信号分離部７は利得特性のバラツキの影響を取り除いて検波（あるいは復調）等の信号分離処理を行うので、受信した信号Ｓｉｎのレベルに応じたレベルのノイズ成分Ｎｚを検出することができ、更にそのノイズ成分Ｎｚより生成される検出信号Ｓｏｕｔによって、受信した信号Ｓｉｎのレベルを検出することができる。
【００２３】
次に、図２（ｂ）に基づいて、ラジオ受信機に設けられる信号レベル検出装置を説明する。なお、図２（ｂ）において、図２（ａ）に示した構成要素と同一又は相当する構成要素を同一符号で示している。
【００２４】
図２（ｂ）において、上述の受信部６に相当する部分６は、アンテナを介して受信した信号Ｓｉｎを入力して選局（あるいは同調）を行う選局部（あるいは同調部）と、その選局等された信号を周波数変換して中間周波信号（ＩＦ信号）を生成する周波数変換部と、中間周波信号の必要な周波数域の成分を通過させて増幅する中間周波増幅部とを備えて構成されている。
【００２５】
上述の信号分離部７に相当する部分７は、検波器（あるいは復調器）で形成されており、中間周波の信号Ｓｘを検波（復調）することで、再生信号Ｓｄｅｔを生成して出力する。
【００２６】
図２（ｂ）中のノイズ抽出部８は、再生信号Ｓｄｅｔの所定高域成分を通過させて整流するハイパスフィルタ及び整流回路と、更にマルチパスによる比較的急峻で高い信号レベルの成分を取り除く回路から構成され、ノイズ再生信号Ｓｄｅｔに含まれている高域ノイズ成分Ｎｚを抽出する。更に検出信号生成部９は、高域ノイズ成分Ｎｚをローパスフィルタ等で平滑化することで、いわゆる直流の検出信号Ｓｏｕｔを生成する。
【００２７】
したがって、上述の選局部等や周波数変換部、中間周波増幅部に利得特性のバラツキがあった場合でも、検波器（あるいは復調器）で検波（あるいは復調）が行われる際に、その利得特性のバラツキの影響を除いた再生信号Ｓｄｅｔを生成するので、利得特性のバラツキに起因するオフセット等を含まない高域ノイズ成分Ｎｚを抽出することができる。更にこの高域ノイズ成分Ｎｚを平滑化することで、受信した信号Ｓｉｎのレベルを表す検出信号Ｓｏｕｔを生成することができる。
【００２８】
【実施例】
次に、図３乃至図８を参照して、より具体的な実施例を説明する。
【００２９】
なお、本実施例は、スーパーヘテロダイン方式のラジオ受信機に設けられた信号レベル検出器に関し、図３は、本信号レベル検出器の構成を示すブロック図、図４乃至図８は、本信号レベル検出器の動作を説明するための図である。
【００３０】
図３において、本スーパーヘテロダイン方式のラジオ受信機には、ラジオ放送局より送られてきた到来電波を受信するアンテナＡＮＴと、選局回路１０、周波数変換器１１、ＩＦフィルタ１２、ＩＦ増幅器１３、検波器１４が備えられている。
【００３１】
そして、到来電波を受信することで得られる受信信号Ｓｉｎに対して選局回路１０が選局処理を施し、更に選局回路１０から出力される信号に対して周波数変換器１１がいわゆるダウンコンバート等の周波数変換処理を施すことで、中間周波信号Ｓｘを生成する。
【００３２】
そして、中間周波帯域を通過帯域とするＩＦフィルタ１２で中間周波信号Ｓｘを帯域制限した後、ＩＦ増幅器１３で所定のレベルまで増幅することによって、中間周波の信号ＳＩＦを生成し、検波器１４に供給する。
【００３３】
そして、検波器１４が中間周波の信号ＳＩＦを検波することにより、放送局側で送出した元の信号に相当する検波信号を生成し、再生信号Ｓｄｅｔとして出力する。
【００３４】
本実施例の信号レベル検出器は、ハイパスフィルタ１５と、整流回路１６、ローパスフィルタ１７、減算器１８、波形整形回路１９、遅延回路２０、ホールド回路２１、ローパスフィルタ２２を備えて構成されている。
【００３５】
なお、ハイパスフィルタ１５と、整流回路１６、ローパスフィルタ１７、減算器１８、波形整形回路１９、遅延回路２０、ホールド回路２１とによって、図２（ａ）（ｂ）中のノイズ抽出部８に相当する回路が構成されている。
【００３６】
また、ローパスフィルタ２２によって、図２（ａ）（ｂ）中の検出信号生成部９に相当する回路が構成されている。
【００３７】
ここで、ハイパスフィルタ１５は、再生信号Ｓｄｅｔに含まれるオーディオ周波数帯域の信号成分を遮断し、ノイズ成分を通過させるハイパスフィルタで形成されている。整流回路１６は、ハイパスフィルタ１５を通過したノイズ成分Ｓｂを整流し、整流後のノイズ成分Ｓｃをローパスフィルタ１７と、減算器１８の加算入力端子（＋）と、遅延回路２０へ供給する。
【００３８】
ローパスフィルタ１７は、ノイズ成分Ｓｃに対してローパスフィルタリングを施すことによって、平滑化したノイズ成分Ｓｄを生成し、減算器１８の減算入力端子（−）へ出力する。
【００３９】
減算器１８は、上述の整流後のノイズ成分Ｓｃからノイズ成分Ｓｄのレベル分を除き、得られる差信号Ｓｅを波形整形回路１９へ出力する。
【００４０】
波形整形回路１９は、高利得のコンパレータ等で形成されており、差信号Ｓｅを所定振幅のパルス波に整形することにより、制御信号Ｓｆを生成してホールド回路２１に供給する。
【００４１】
遅延回路２０は、整流回路１６より出力されるノイズ成分Ｓｃがローパスフィルタ１７と減算器１８とで処理され、差信号Ｓｅとなって波形整形回路１９に到達するまでに要する伝搬時間に相当する遅延時間に設定されている。
【００４２】
したがって、ノイズ成分Ｓｃが遅延回路２０で遅延されることで生じる遅延後のノイズ成分Ｓｇがホールド回路２１に供給される時点と、ノイズ成分Ｓｃに基づいて生成される制御信号Ｓｆが波形整形回路１９からホールド回路２１に供給される時点とが同期するようになっている。
【００４３】
ホールド回路２１は、上述したように、遅延されたノイズ成分Ｓｇを制御信号Ｓｆに従って標本化して保持し、その保持したノイズ成分Ｓｈをローパスフィルタ２２に供給する。
【００４４】
ローパスフィルタ２２は、ノイズ成分Ｓｈを平滑化することによって、いわゆる直流の検出信号Ｓｏｕｔを生成して出力する。
【００４５】
次に、かかる構成を有する本実施例の信号レベル検出装置の動作を図４乃至図８を参照して説明する。
【００４６】
ラジオ受信機で到来電波を受信すると、検波器１４からは図４に示すような検波信号が再生信号Ｓｄｅｔとして出力される。
【００４７】
この再生信号Ｓｄｅｔがハイパスフィルタ１５を通過し、整流回路１６で整流されると、図５中に示すような正極性のノイズ成分Ｓｃが生成される。
【００４８】
次に、ノイズ成分Ｓｃがローパスフィルタ１７を通過すると、図５中に示すような平滑化されたノイズ成分Ｓｄが生成されて、減算器１８の減算入力端子（−）に供給され、更に減算器１８の加算入力端子（＋）には、図５に示したノイズ成分Ｓｃが供給される。
【００４９】
したがって、減算器１８では、ノイズ成分Ｓｃからノイズ成分Ｓｄのレベル分が除かれた差信号Ｓｅが生成され、更に波形整形回路１９で波形整形が行われることで、図６に示すようなパルス波形の制御信号Ｓｆが生成される。
【００５０】
そして、ホールド回路２１では、たとえば制御信号Ｓｆの立ち上がりのタイミングで遅延回路２０からの遅延後のノイズ成分Ｓｇを保持し、図７に示すようなノイズ成分Ｓｈとして出力し、更に、ローパスフィルタ２２がノイズ成分Ｓｈを平滑化することで、図８に示すようなほぼ直流の検出信号Ｓｏｕｔを生成して出力する。
【００５１】
このように、本実施例によれば、検波器１４から出力される検波信号としての再生信号Ｓｄｅｔからノイズ成分Ｓｂを取得し、そのノイズ成分Ｓｂに対して整流及び平滑化等の処理を施すことによって検出信号Ｓｏｕｔを求めるようにしたので、検波器１４より前段側に位置しているアンテナＡＮＴからＩＦ増幅器１３までの各構成要素に利得特性のバラツキがあっても、受信した信号Ｓｉｎのレベルを適切に検出することができる。
【００５２】
すなわち、検波器１４は、それより前段側に位置しているアンテナＡＮＴからＩＦ増幅器１３までの各構成要素に利得特性のバラツキがあっても、検波の際にそれらの利得特性のバラツキの影響を受けない検波信号を生成することから、この検波信号としての再生信号Ｓｄｅｔを、検出信号Ｓｏｕｔを求めるための対象としたことで、受信した信号Ｓｉｎのレベルを適切に検出することができる。
【００５３】
更に、再生信号Ｓｄｅｔ中のノイズ成分Ｓｂをハイパスフィルタ１５で取り出し、整流回路１６からホールド回路２１までの回路によって、ノイズ成分Ｓｂのみをより精度よく抽出してから、ローパスフィルタ２２で平滑化するので、図８に示したような検出信号Ｓｏｕｔを生成することができる。
【００５４】
ここで、再生信号Ｓｄｅｔに含まれるノイズ成分Ｓｃのうちマルチパスによる比較的急峻で高い信号レベルの信号は、制御信号Ｓｆによりホールド回路２１にて遮断されるから、これらマルチパスノイズ成分を取り除いたノイズ成分Ｓｈを抽出することができる。
【００５５】
ちなみに、図１に示した整流回路４とローパスフィルタ５で形成されていた従来の信号レベル検出装置で生成されていた従来の検出信号と、本実施例の信号レベル検出装置で生成される検出信号Ｓｏｕｔとを比較した結果、図８に示すように、従来の検出信号には、既述した利得特性のバラツキの影響を受けてレベル変動を生じるが、本実施で得られた検出信号Ｓｏｕｔは、既述した利得特性のバラツキの影響を受けることがなく、更に上述のノイズ成分Ｓｂのみから生成されるので、受信した信号Ｓｉｎのレベル（別言すれば、受信強度）を適切に表す検出信号Ｓｏｕｔを求めることができた。
【００５６】
以上説明したように、本実施形態並びに実施例の信号レベル検出装置によれば、検波や復調等の信号分離処理が行われた後の信号、すなわち検波信号や復調信号等の再生信号を対象として、その再生信号に含まれるノイズ成分から、受信した信号のレベルを検出することとしたので、信号分離処理が行われる前の中間周波の信号等の信号成分から、受信した信号のレベルを検出する従来の技術に比して、受信した信号のレベルをより高精度で検出することができる。
【００５７】
なお、実施形態並びに実施例の説明では、いわゆるアナログ信号処理を行うことによって検波信号や復調信号等を生成するラジオ受信機等の受信装置について説明したが、これに限定されるものではない。
【００５８】
例えば、近年研究開発が進められているデジタル信号処理によって受信を行うデジタルラジオ受信機等の受信装置にも適用可能である。
【００５９】
つまり、周波数変換された中間周波信号をデジタル信号にアナログデジタル変換するＤ／Ａ変換器を備え、そのＤ／Ａ変換器に続く検波器等をデジタル回路で形成するようにしたデジタルラジオ受信機等において、図２（ａ）（ｂ）に示したノイズ抽出部８及び検出信号生成部９と同等の機能をデジタル信号処理によって実現するデジタル回路で形成し、また、図３に示したハイパスフィルタ１５からローパスフィルタ２２までの各構成要素も同様に、デジタル信号処理によって同等の機能を発揮するデジタル回路で形成するようにしてもよい。
【００６０】
また、本信号レベル検出装置は、ラジオ受信機のように無線で送られてくる到来電波を受信する受信装置に限らず、有線で送られてくる信号を受信する受信装置にも適用することが可能である。
【００６１】
また、発信源から送られてくる信号の変調方式に関わらず、本信号レベル検出装置によって、受信した信号のレベルを検出することが可能である。例えば、ラジオ受信機等の受信装置がＡＭ変調やＦＭ変調された信号を受信する受信装置であって、ＡＭ検波する検波器やＦＭ復調する復調器が備えられていれば、それら検波器や復調器より出力される検波信号あるいは復調信号としての再生信号を本信号レベル検出装置によって処理することにより、受信した信号のレベルを適切に検出することが可能である。
【００６２】
また、ホールド回路２１に代えて、制御信号Ｓｆのタイミングにしたがい、オンオフ動作するスイッチ回路で形成してもよい。すなわち、マルチパスによる急峻で高い信号レベルのノイズが発生しているタイミングにおいては、制御信号Ｓｆにより上述のスイッチ回路を遮断することで、ノイズ成分Ｓｈからマルチパスノイズ成分を取り除くことが可能である。
【００６３】
かかる構成によれば、信号レベルの高いマルチパスノイズを遮断し、受信した信号レベルを検出するための本来のノイズ成分のみをローパスフィルタ２２に供給することができるため、上記ローパスフィルタ２２で平滑化されるノイズ成分の信号レベルに基づき、高い精度で受信信号の信号レベルを検出することが可能となる。
【図面の簡単な説明】
【図１】従来の信号レベル検出装置の構成を示す図である。
【図２】本発明の実施の形態に係る信号レベル検出装置の構成を示す図である。
【図３】ラジオ受信機に設けられた信号レベル検出装置の実施例の構成を示す図である。
【図４】図４に示した信号レベル検出装置の動作を説明するための波形図である。
【図５】図４に示した信号レベル検出装置の動作を更に説明するための波形図である。
【図６】図４に示した信号レベル検出装置の動作を更に説明するための波形図である。
【図７】図４に示した信号レベル検出装置の動作を更に説明するための波形図である。
【図８】図４に示した信号レベル検出装置の動作を更に説明するための波形図である。
【符号の説明】
７…信号分離部、検波器、復調器
８…ノイズ抽出部
９…検出信号生成部
１４…検波器
１５…ハイパスフィルタ
１６…整流回路
１７…ローパスフィルタ
１８…減算器
１９…波形整形回路
２０…遅延回路
２１…ホールド回路
２２…ローパスフィルタ
【図１】
2004080425.tif 000003
【図２】
2004080425.tif 000004
【図３】
2004080425.tif 000005
【図４】
2004080425.tif 000006
【図５】
2004080425.tif 000007
【図６】
2004080425.tif 000008
【図７】
2004080425.tif 000009
【図８】
2004080425.tif 000010